(57)【特許請求の範囲】
【請求項１】
トランプ等のカード類を自動的に切り替える装置において、
カード類を載置して１枚毎に移動させるデリバリーボックス部と、
移動されたカード類を分離する複数のカードボックスと、
前記デリバリーボックス部自体及び内部部品をモーターを介して制御するコントローラと、
前記カードボックスからのカードを受理して前記デリバリーボックスに戻すデッキ部とから構成され、
前記デリバリーボックス部は、カード類を載置するカードプレイスと、
載置されたカード類を１枚毎に移動させるキャリーベルトと、
前記キャリーベルト上のカードを保持しながら移動させる送り出し機構と、移動してきたカード類をデリバリーボックス部からカードボックスに排出する排出機構とからなり、
前記カードボックスは、前記デリバリーボックス部のキャリーベルトによって移動されたカードを定置するベースローラを有する複数の仕切部とからなり、
前記デッキ部は、前記カードボックスに定置されたカードの頂部に接するフィクスローラーとセンドバックラバーとを要部とすることを特徴とするカード類自動切り替え装置。
【請求項２】
前記送り出し機構は、カードプレイス底部のカードを１枚毎にキャリーベルトで移動する際に、カード類の底部を左右に設置したベースガイドで所定箇所を保持し、次いで進行方向のガイドピン上に設置されたバーチカルガイドでカード上面を保持し、更にキャリーベルト上方に設置した少なくとも１個以上のシャフトで上面を保持しながら移動させることを特徴とする請求項１記載のカード類自動切り替え装置。
【請求項３】
前記カード類をデリバリーボックス部からカードボックスに排出する排出機構は、デリバリーボックス部内に設置されたキャリーベルトによって移動させられたカード類を排出ベルト上に載せながら、カード類の上面をセンドガイドで上面を保持し、センドガイド前面に位置するバウンド板でカード類を保持させ、排出ローラーでカードボックスに排出させることを特徴とする請求項１記載のカード類自動切り替え装置。
【請求項４】
前記デッキ部は、前記カードボックスに載置されたカードの頂部に接するフィクスローラーとセンドバックラバーとで一枚毎に引き出し、さらにフィクスローラとキャリーローラーの回転作用でカードを移動させ、デリバリーボックス部内に設けたセンドバックシャフトとセンドバックガイドの間を通過するようにしてあることを特徴とする請求項１記載のカード類自動切り替え装置。
【請求項５】
トランプ等のカード類を自動的に切り替える方法において、
カード類を載置して１枚毎に移動させるデリバリーボックス手段と、
移動されたカード類を分離する複数のカードボックス手段と、
前記デリバリーボックス部自体及び内部部品をモーターを介して制御するコントローラ手段と、
前記カードボックスからのカードを受理して前記デリバリーボックスに戻すデッキ手段とを有し、
前記デリバリーボックス手段は、カード類を載置するカードプレイスから載置されたカードを１枚毎にキャリーベルトに載せながら両端及び上面をガイド及びシャフトで保持させながら移動させ、
前記カードボックス手段は、前記デリバリーボックス手段のキャリーベルトによって移動されたカードを少なくとも１個以上のベースローラで受け取って複数の仕切部からなるカードボックスに底部から積層して不作為な枚数を載置し、
カードが前記カードボックスに一部又全部が載置されると、前記デッキ手段のフィクスローラーとセンドバックラバーとの作用で、載置されたカード類を１枚毎に引き出して、デリバリーボックス部内に設けたセンドバックシャフトとセンドバックガイドの間を通過するようにして、当初のカードプレイス底部に載置することを特徴とするカード類自動切り替え方法。
【請求項６】
カード類を移動させるキャリーベルトは、ベルト内面に等間隔な突起を設け、ベルト外面の一部にカードを押し上げながら移動する突起を設けてあることを特徴とする請求項１または２のいずれかに記載されたカード類自動切り替え装置。
【請求項７】
供給時にカード上面を押さえ、排出時にカード下面に位置するカード制御機構は、カード類を移動させる排出ベルト４４上に設けられた接続シャフト１４上に連接するバウンド板と一体化する接続ローラとからなることを特徴とする請求項１に記載するカード類自動切り替え装置。
【請求項８】
カード類自動切り替え装置における動力伝達機構において、ベルトの移動により接触面が前後回転するフレキシブルローラーと、相対峙するセンドローラとを両ローラの支持軸に配置されるローラガイドで連接し、排出ベルトが反時計回りの場合には、前記フレキシブルローラのみが回転し、逆に排出ベルトが時計回りの場合には、前記フレキシブルローラも時計回りに回転しながら、相対峙するセンドローラに接してセンドローラを反時計回りに回転させることを特徴とする動力伝達機構を有する請求項１に記載するカード類自動切り替え装置。
【発明の詳細な説明】
【０００１】
【発明の属する技術分野】
本発明は、カード類を自動的に、且つ不作為に切り返すことの出来る装置に関し、更に詳しくはデリバリーボックスに裁置したカード類をキャリーベルト等からなる送り出し機構で１枚毎に運び、排出機構を介して複数のカードボックスに不作為に下側から裁置させ、また逆に裁置したカード類の上部からフィックスローラーとセンドバックラバーの駆動で１枚毎に切り混ぜられた状態のカードを、キャリーローラーによって移動させ当初のデリバリーボックスに戻すことの出来る新規なカード類自動切り替え装置及び切り混ぜ方法に関する。
【０００２】
【従来技術】
本来カード類は、数人で遊ぶ場合には親プレイヤーが手切りを行って不作為に切り混ぜてプレイするのが通常であるが、カジノ等の大人数でプレイする場所においては、不正ができないようにするため人為的なシャッフルを止め、自動装置でカード類の切替を行う事が知られるようになった。
【０００３】
これらの装置の一例として特表平１０−５０７１０３号「トランプカードを自動的に切り混ぜる方法及び装置」は、トランプカードを切り混ぜる装置にして、ａ，切り混ぜていないトランプカードの垂直に整合した積み重ね体を保持すべく垂直方向に伸長する第一のマガジンと、ｂ、カードの垂直方向に整合した積み重ね体を保持すべく垂直方向に伸長する第二のマガジン及び第三のマガジンであって、各々前記第一のマガジンから水平方向に隔たり且つ該第一のマガジンに接続する前記第二及び第三のマガジンと、ｃ、前記第一のマガジン内のカードの積み重ね体の頂部からカードを個々に前記第二及び第三のマガジンまで水平方向に駆動して、切り混ぜていないトランプカードの積み重ね体を２つの積み重ね体に切るべく前記第一のマガジンの頂部に配置された第一のカード係合手段と、ｄ、前記第二及び第三のマガジンの頂部に配置された第二及び第三のカード係合手段とを備えることを特徴とするトランプカードの切り混ぜ装置を開示し、トランプゲームでのカジノをやり易くするために多数の組のトランプカードを切り混ぜるようにした電気機械式機械を提供している。
【０００４】
【発明が解決しようとする課題】
しかしながら上記従来装置においては、カードを完全に切り混ぜることが可能かは疑問を持たざるを得なかった他、誰でもが簡易な手段でカード類を不作為に切り混ぜることの出来る新規な装置の開発が望まれていた。
【０００５】
【課題を解決するための手段】
斯かる課題を解決するために本発明者は鋭意研究したところ、デリバリーボックスに載置したカード類をデリバリーボックス部の送り出し機構と排出機構とを介して複数のカード類の順番を切り替えた状態でアトランダムにカードボックスの下から載置し、任意な時期にカードボックスの上部から別な経路でデリバリーボックスに戻す機構の装置を開発することができた。
【０００６】
すなわち本発明の第一は、トランプ等のカード類を自動的に切り替える装置において、カード類を載置して１枚毎に移動させるデリバリーボックス部と、移動されたカード類を分離する複数のカードボックスと、前記デリバリーボックス部自体及び内部部品をモーターを介して制御するコントローラと、前記カードボックスからのカードを受理して前記デリバリーボックスに戻すデッキ部とから構成され、前記デリバリーボックス部は、カード類を載置するカードプレイスと、載置されたカード類を１枚毎に移動させるキャリーベルトと、前記キャリーベルト上のカードを保持しながら移動させる送り出し機構と、移動してきたカード類をデリバリーボックス部からカードボックスに排出する排出機構とからなり、前記カードボックスは、前記デリバリーボックス部のキャリーベルトによって移動されたカードを定置するベースローラを有する複数の仕切部とからなり、前記デッキ部は、前記カードボックスに定置されたカードの頂部に接するフィクスローラーとセンドバックラバーとを要部とすることを特徴とするカード類自動切り替え装置である。
【０００７】
本発明の第二は、前記送り出し機構は、カードプレイス底部のカードを１枚毎にキャリーベルトで移動する際に、カード類の底部を左右に設置したベースガイドで所定箇所を保持し、次いで進行方向のガイドピン上に設置されたバーチカルガイドでカード上面を保持し、更にキャリーベルト上方に設置した少なくとも１個以上のシャフトで上面を保持しながら移動させることを特徴とする請求項１記載のカード類自動切り替え装置である。
【０００８】
本発明の第三は、前記カード類をデリバリーボックス部からカードボックスに排出する排出機構は、デリバリーボックス部内に設置されたキャリーベルトによって移動させられたカード類を排出ベルト上に載せながら、カード類の上面をセンドガイドで上面を保持し、センドガイド前面に位置するバウンド板でカード類を保持させ、排出ローラーでカードボックスに排出させることを特徴とする請求項１記載のカード類自動切り替え装置である。
【０００９】
本発明の第四は、前記デッキ部は、前記カードボックスに載置されたカードの頂部に接するフィクスローラーとセンドバックラバーとで一枚毎に引き出し、さらにフィクスローラとキャリーローラーの回転作用でカードを移動させ、デリバリーボックス部内に設けたセンドバックシャフトとセンドバックガイドの間を通過するようにしてあることを特徴とする請求項１記載のカード類自動切り替え装置である。
【００１０】
本発明の第五は、トランプ等のカード類を自動的に切り替える方法において、
カード類を載置して１枚毎に移動させるデリバリーボックス手段と、移動されたカード類を分離する複数のカードボックス手段と、前記デリバリーボックス部自体及び内部部品をモーターを介して制御するコントローラ手段と、前記カードボックスからのカードを受理して前記デリバリーボックスに戻すデッキ手段とを有し、前記デリバリーボックス手段は、カード類を載置するカードプレイスから載置されたカードを１枚毎にキャリーベルトに載せながら両端及び上面をガイド及びシャフトで保持させながら移動させ、前記カードボックス手段は、前記デリバリーボックス手段のキャリーベルトによって移動されたカードを少なくとも１個以上のベースローラで受け取って複数の仕切部からなるカードボックスに底部から積層して不作為な枚数を載置し、カードが前記カードボックスに一部又全部が載置されると、前記デッキ手段のフィクスローラーとセンドバックラバーとの作用で、載置されたカード類を１枚毎に引き出して、デリバリーボックス部内に設けたセンドバックシャフトとセンドバックガイドの間を通過するようにして、当初のカードプレイス底部に載置することを特徴とするカード類自動切り替え方法である。
【００１１】
本発明の第六は、カード類を移動させるキャリーベルトは、ベルト内面に等間隔な突起を設け、ベルト外面の一部にカードを押し上げながら移動する突起を設けてあることを特徴とするキャリーベルトを有する請求項１または２のいずれかに記載されたカード類自動切り替え装置である。
【００１２】
本発明の第七は、供給時にカード上面を押さえ、排出時にカード下面に位置するカード制御機構は、カード類を移動させる排出ベルト４４上に設けられた接続シャフト１４上に連接するバウンド板と一体化する接続ローラとからなることを特徴とする請求項１に記載するカード類自動切り替え装置である。
【００１３】
本発明の第八は、カード類自動切り替え装置における動力伝達機構において、ベルトの移動により接触面が前後回転するフレキシブルローラーと、相対峙するセンドローラとを両ローラの支持軸に配置されるローラガイドで連接し、排出ベルトが反時計回りの場合には、前記フレキシブルローラのみが回転し、逆に排出ベルトが時計回りの場合には、前記フレキシブルローラも時計回りに回転しながら、相対峙するセンドローラに接してセンドローラを反時計回りに回転させることを特徴とする動力伝達機構を有する請求項１に記載するカード類自動切り替え装置である。
【００１４】
【発明の実施の形態】
図１および図３は、本発明装置の概要を示す斜視図である。本発明装置の構成は、基本的構造として、一例としてカード類であるトランプカード３５を載置して１枚毎に移動させるデリバリーボックス部１と、移動されたカード類を分離する複数のカードボックス３と、前記デリバリーボックス部１を左右のガイド８，９に沿って移動させるモーター４，デッキ部を上・下させるモーター５と、前記カードボックス３からのカードを受理して前記デリバリーボックス１に戻すデッキ部３０とから構成される。
【００１５】
この内、前記デリバリーボックス部１は、図４および図５に示すようにカードケース２を嵌合してトランプカード３５を載置するカードプレイス５０と、載置されたカードを１枚毎に移動させるキャリーベルト７と、該ベルト上のカードを保持しながら移動させるベースガイド８，９及びシャフト１２，１３，１４とから成る送り出し機構と、移動してきたカード３５をデリバリーボックス部からカードボックスに排出する排出機構とから成り立っているが、これらは図２に示すようにカードプレイス５０底部のカード３５を１枚毎送り出し機構のキャリーベルト７で移動する際に、トランプカード３５の底部を左右に設置したベースガイド８，９に設けた突起部で所定箇所を保持し、次いで進行方向のガイドピン１０上に設置されたバーチカルガイド１１でカード３５上面を保持した状態で移動する。
【００１６】
移動してきたカード３５は、排出機構の排出ベルト４４に載置されて排出ローラー４２側に移動するが、前記排出ベルト４４上に設けられた接続シャフト１４に連接するバウンド板３６と一体化する接続ローラー３７でカードの上面を押さえる構造（以下、カード制御機構という）となっており、この場合、前記接続ローラー３７は、接続シャフト１４を円運動の中心として一定の高さまで数度上下運動するように制御しており、該接続ローラー３７と一体化しているバウンド板３６の押力によってカード３５は押さえられた状態でカードボックス３に移動させる。
【００１７】
移動したトランプカード３５は、前記カードボックス３において前記バウンド板３６の働きによって押さえられた状態で送られるため、下方から上方に向けて積み重ねられるが、このようにカード３５がカードボックス３に排出されるときには、排出ローラー４２を保持する排出開閉板４３は、プーリーＣ４０の円運動の働きで位置決めピン１７に接触して止まり、排出ローラー４２をカードボックスの底面に位置するカードに接する状態になる。
【００１８】
このカードボックス３の構造は、前記排出機構によって移動されたカード３５を載置するベースローラ１８，１９を有する複数の仕切部とからなっているが、該ベースローラ１８，１９は、デリバリーボックス部１内に設置されたキャリーベルト７によって移動させられたトランプカード３５を受け取って、少なくとも１個以上のベースローラー１８，１９でカードボックス３内の底部から重ねて載置するように構成されている。
【００１９】
図６に示すように前記カードボックス３に載置されたトランプカード３５の頂部に位置するデッキ部３０は、図面に示すように該カード３５の頂部に接するセンドバックラバー３４で一枚毎に引き出し、さらにフィクスローラ２４，３１とキャリーローラー３２の回転作用でカードを移動させ、図２に示されるようにデリバリーボックス部１内に設けたセンドバックシャフト１６とセンドバックガイド２１の間を通過するようにして、カード３５が当初のデリバリーボックス部１内のカードプレイス３６に切り替えられた状態で載置される構造となっている。
【００２０】
この場合、前記排出開閉板４３は、カード３５をカードボックス３に排出する際とは逆に、排出ローラー４２側が下がった状態になり、併せて接続ローラー３７と一体化しているバウンド板３６の先端も同時に下がり、前記のセンドバックラバー３４で引き出されたカード３５は、バウンド板３６の上部を通過してセンドガイド１６とセンドバックガイド２１との間を通過し、次いでバーチカルガイド１１、ガイドピン１０、ベースガイド８間を通過してカードプレイスの底部に載置させられる。
【００２１】
上記のカード制御機構の稼働は、図２及び図６に示すようにデリバリーボックス部１の外側に設けられたプーリーＣ４０とプーリーＤ４１とに搬出ベルト４４を介して回転させるベルト方式で行っているが、さらに図９及び図１０に示すように、前記ベルト方式に変えて、キャリーベルト７上にベルトの移動により接触面が前後に回転するフレキシブルローラー５１と、相対峙するセンドローラ５２とを両ローラの支持軸に配置されるローラガイド５３で連接する動力伝達機構であっても良い。
【００２２】
この場合、排出ベルト４４が反時計回りに進む時には、前記フレキシブルローラ５１は時計回りに回転するが、この場合、相対峙するセンドローラ５２には接触しない。逆に排出ベルト４４が時計回りの時には、前記フレキシブルローラ５１は反時計回りに回転しながら、相対峙するセンドローラ５２側に若干移動してセンドローラ５２に接触してセンドローラ５２を時計回りに回転させることになり、前記のようにデリバリーボックス部１の外側に設けられたプーリーＣ４０とプーリーＤ４１とに搬出ベルト４４を介して回転させる機構よりは、スマートに且つ省エネルギーで操作が可能となる。
【００２３】
本発明の送り出し機構のキャリーベルト７としては、ベルト内面に等間隔な突起２７を設け、ベルト外面の一部にカードを押し上げながら移動する突起２６を設けてあるベルトを用いるが、この外面の突起２６でカードを浮かせながら運ぶため１枚毎の移動が可能となったものである。
【００２４】
本発明装置を稼働させる手順としては、カード３５を載置して１枚毎に移動させるデリバリーボックス手段と、移動されたカード類を分離する複数のカードボックス手段と、前記デリバリーボックス部を左右にガイドに沿って制御するコントローラ手段と、前記カードボックスからのカードを受理して前記デリバリーボックスに戻すデッキ手段とを有し、前記デリバリーボックス手段は、カード類を載置するカードプレイス５０から載置されたカード３５を１枚毎にキャリーベルト７に載せながら両端及び上面をガイド及びシャフトで保持させながら移動させ、前記カードボックス手段は、前記デリバリーボックス手段のキャリーベルト７によって移動されたカード３５を少なくとも１個以上に底部から積層して不作為な枚数を載置し、カードプレイス５０からのカード３５が前記カードボックス３に載置されると、前記デッキ手段のフィクスローラー２４とセンドバックラバー３４とが、載置されたカード３５類を１枚毎に引き出して、デリバリーボックス部１内に設けたセンドバックシャフト１６とセンドバックガイド２１の間を通過するようにして、当初のカードプレイス５０に切り替えた状態で載置することを特徴とするカード類自動切り替え方法である。
【００２５】
【発明の効果】
本発明装置は、オペレーターがカードプレイス５０にカードケースに入れたトランプカード３５を裁置するだけで自動的にコントローラ２５でアトランダムに制御しながら切り替えできるため、装置に対する専門知識がなくとも誰でもが自由に操作できるという効果を有する。
【００２６】
上面に突起が設置されたキャリーベルト７を用いて、１枚毎にカード類を移動させながらカードボックスの複数の仕切部下方から載置し、載置されたカードを上方からアトランダムに当初のカードプレイス５０に戻しながら切り混ぜするため、数え切れないほどの切り替え（シャフル）ができ、切り替え時の不正を防ぐことができる。
【図面の簡単な説明】
【図１】本発明装置の全体を示す斜視図である。
【図２】本発明装置のデリバリーボックス部を示す断面図である。
【図３】本発明装置の全体を正面方向から見た斜視図である。
【図４】本発明装置のデリバリーボックス部を示す全体図である。
【図５】本発明装置のデリバリーボックス部内部を示す配置図である。
【図６】本発明装置のデッキ部の断面図である。
【図７】本発明装置に使用されるキャリーベルトの断面図である。
【図８】本発明装置に使用されるキャリーベルトの上面の突起部の部分拡大図である。
【図９】本発明装置に使用される動力伝達機構の表面図である。
【図１０】図９における部分断面図である。
【符号の説明】
１・・・・デリバリーボックス部
２・・・・カードケース
３・・・・カードボックス
４・・・・モータＡ（デリバリーモーター）
５・・・・モータＢ
６・・・・ベースローラー
７・・・・キャリーベルト
８・・・・ベースガイドＬ
９・・・・ベースガイドＲ
１０・・・ガイドピン
１１・・・バーチカルガイド
１２・・・シャフト１
１３・・・シャフト２
１４・・・接続シャフト
１５・・・センドガイド
１６・・・センドバックシャフト
１７・・・位置決めピン
１８・・・ベースローラＡ
１９・・・ベースローラＢ
２０・・・センドバックローラー
２１・・・センドバックガイド
２２・・・サイドパネルＬ
２３・・・サイドパネルＲ
２４・・・フィクスローラＡ
２５・・・コントローラ
２６・・・キャリアベルト上面突起
２７・・・キャリアベルト下面突起
２８・・・装置上台
２９・・・装置下台
３０・・・デッキ部
３１・・・フィクスローラＢ
３２・・・キャリーローラ
３３・・・キャリーシャフト
３４・・・センドバックラバー
３５・・・トランプカード
３６・・・バウンド板
３７・・・接続ローラー
３８・・・プーリーＡ
３９・・・プーリーＢ
４０・・・プーリーＣ
４１・・・プーリーＤ
４２・・・排出ローラー
４３・・・排出開閉板
４４・・・排出ベルト
４５・・・テンション抑制ローラー
４６・・・デリバリーベルト
４７・・・ベルト
４８・・・モーターＣ（デッキモーター）
４９・・・デリバリーモータープーリ
５０・・・カードプレイス
５１・・・フレキシブルローラ
５２・・・センドローラ
５３・・・ローラガイド
５４・・・搬送部外枠
５５・・・フレキシブルローラ支軸
５６・・・動力伝達機構保持板
【図１】
0004014977.tif 000002
【図２】
0004014977.tif 000003
【図３】
0004014977.tif 000004
【図４】
0004014977.tif 000005
【図５】
0004014977.tif 000006
【図６】
0004014977.tif 000007
【図７】
0004014977.tif 000008
【図８】
0004014977.tif 000009
【図９】
0004014977.tif 000010
【図１０】
0004014977.tif 000011